(57)【要約】【課題】内接円を小さくすることなく、重量の軽減を図ることにより、使い勝手を向上させることを目的とする。【解決手段】直杆状のアーム体１の複数を連結ピン２により回転自在に連結した一般部３の先端に設けられる錠連結アーム４を錠装置５に連結して閉ループ形状を形成する施錠用拘束体であって、  伸長状態で同一辺となるアーム体１の辺縁部には、中心部に行くに従って漸次幅狭となるように、肉盗み部６が設けられる。【選択図】  図５
2006138098.tif 000002
【特許請求の範囲】
【請求項１】
直杆状のアーム体の複数を連結ピンにより回転自在に連結した一般部の先端に設けられる錠連結アームを錠装置に連結して閉ループ形状を形成する施錠用拘束体であって、
伸長状態で同一辺となるアーム体の辺縁部には、中心部に行くに従って漸次幅狭となるように、肉盗み部が設けられる施錠用拘束体。
【請求項２】
前記錠連結アームがアーム体に比して短寸に形成される請求項１記載の施錠用拘束体。
【発明の詳細な説明】
【技術分野】
【０００１】
本発明は、施錠用拘束体に関するものである。
【背景技術】
【０００２】
複数のアーム体を相互に回転自在に連結して形成され、両端を錠装置を介して連結した際の閉ループにより施錠対象を巻回、拘束する施錠用拘束体としては、特許文献１に記載されたものが知られている。この従来例において、アーム体は不正な切断操作に対する耐性を高めるために、例えば焼入鋼等により、断面積の大きな杆体として形成される。
【特許文献１】特開平８-１１７５９号公報
【発明の開示】
【発明が解決しようとする課題】
【０００３】
しかし、上述した従来例による施錠用拘束体は、比重の大きな肉厚のアーム体を連結して形成するために、重さが重く、使い勝手が悪いという欠点を有する。
【０００４】
この欠点の解消には、アーム体を短寸化することが有効であるが、この場合には、ループ形状にした際の内接円の直径が小さくなるために、巻回、拘束対象が限られてしまうという問題が発生する。
【０００５】
本発明は、以上の欠点を解消すべくなされたものであって、内接円を小さくすることなく、重量の軽減を図ることにより、使い勝手を向上させた施錠用拘束体の提供を目的とする。
【課題を解決するための手段】
【０００６】
本発明によれば上記目的は、
直杆状のアーム体１の複数を連結ピン２により回転自在に連結した一般部３の先端に設けられる錠連結アーム４を錠装置５に連結して閉ループ形状を形成する施錠用拘束体であって、
伸長状態で同一辺となるアーム体１の辺縁部には、中心部に行くに従って漸次幅狭となるように、肉盗み部６が設けられる施錠用拘束体を提供することにより達成される。
【０００７】
施錠用拘束体は、複数のアーム体１、１・・を連結ピン２を介して回転自在に連結して形成される。図５（ａ）に示すように、全長に渡ってほぼ等幅の直杆状のアーム体１を連結した正多角形の内接円（Ｃｉ）とアーム体１との接点は、アーム体１の内壁の中心点であり、アーム体１の当該接点近傍を窪ませると、アーム体１の長さが同じでも内接円（Ｃｉ）の径を（Ｄ）から（Ｄ’）に大きくすることができる。したがって、内接円（Ｃｉ）との接点近傍を窪ませるように肉盗み部６を設けると、肉盗み部６を設けない場合に比して、短いアーム長であっても、同一径の円を包絡することができる。
【０００８】
この結果、施錠用拘束体は、構成アーム体１の短寸化と、窪みを設けることによる狭幅化とによって、容積が小さくなり、軽量化が達成される。アーム体１の幅寸法を小さくすることによって断面積も小さくなるが、アーム体１を連結ピン２を介して連結する場合の全体の強度は、アーム体１の連結ピン２挿入孔周縁の肉厚により決定されるために、中心部の幅寸法が上記肉厚以下にならない限り、全体としての強度低下も生じない。さらに、中心部が幅狭になると、撓み変形能が向上して衝撃吸収能がやや高まるために、連結ピン２周りへの衝撃応力の負担が減少するために、アーム体１の連結部における破断抵抗が高まる。
【０００９】
施錠用拘束体は、全アーム体１を等長に形成することも可能であるが、錠装置５に連結するために一般部３の端部に連結、あるいは延設される錠連結アーム４をアーム体１に比して短寸とした場合には、錠装置５への連結部において端部のアーム体１が内接円（Ｃｉ）により接近するために、アーム体１の全長を短くすることが可能になる。
【００１０】
図５（ｂ）は、この点を示すもので、アーム体１と錠連結アーム４とが等長（Ｌａ）で形成される場合を中心線（Ｃ）に対して右側に、錠連結アーム４の長さをアーム体１の半分にし、錠装置５への連結部を同位置に設定した場合を左側に示す。図５（ｂ）から明らかなように、左側は、錠装置５への連結部を左右同一位置にするために、一本当たりのアーム体１の長さ（Ｌａ）がやや長くなったにもかかわらず、錠装置５との連結部における内接円への追随性が右側に比して良好となった結果、全長が短くなり、結果、全体の重量が軽減する。
【００１１】
施錠用拘束体は、一方の錠連結アーム４が錠装置５に脱離不能に連結され、他方の錠連結アーム４のみが錠装置５に対して着脱操作可能なものであっても、あるいは両方の錠連結アーム４が錠装置５に対して着脱操作可能なものであってもよい。
【発明の効果】
【００１２】
本発明によれば、内接円、すなわち、拘束対象物の大きさの制限を小さくすることなく、重量の軽減を図ることができるために、使い勝手が向上する。
【発明を実施するための最良の形態】
【００１３】
図１に示すように、施錠用拘束体は、８本のアーム体１からなる一般部３の両端に錠連結アーム４を連結して形成される。図２、３に示すように、アーム体１と錠連結アーム４とは、焼入鋼により製せられる心材部７、８の外表に合成樹脂材９を被覆して形成される。
【００１４】
錠連結アーム４の心材部８は、稜線部にアール面取を施したほぼ矩形断面形状を有する棒状部８ａの一端から断面円形の挿入杆部８ｂを突設させて形成され、棒状部８ａの外表が合成樹脂材９により被覆される。また、挿入杆部８ｂの先端には、外周に凹溝４ａを設けて係止部４ｂが形成される。
【００１５】
一方、全てのアーム体１は、上記錠連結アーム４のほぼ２倍の長さを有する直杆状に形成される。これらアーム体１は、錠連結アーム４の断面形状にほぼ一致する断面形状を有し、アーム体１の両端と、錠連結アーム４の棒状部８ａにはピン装着孔１０が開設される。
【００１６】
後述するように連結ピン２周りにアーム体１等を水平回転させて折り曲げた際の連結部における角部の飛び出しを防止するために、アーム体１の両端、および錠連結アーム４の棒状部８ａの端部は、半円形状に形成される。
【００１７】
また、アーム体１は、図２においてハッチングを施して示すように、一辺に肉盗み部６が形成されており、長手方向中心に行くに従って幅狭とされる。この実施の形態において、肉盗み部６形成側の辺縁は、両端の各々の半円形状に接する２本の円弧（Ａｃ）間を直線（ＳＬ）で結んで形成されるが、これ以外に、例えば、両端の半円形状に接する１本の円弧で形成するなど、適宜変更が可能である。
【００１８】
この肉盗み部６の形状は、例えば、アーム体１を両端支持して中心部に負荷した際等、アーム長が影響する破壊モードを考慮に入れても肉盗み部６が破断部位とならないように決定され、望ましくは、両端に引張荷重が負荷された際に中央部に曲げモーメントが発生しないように、ピン装着孔１０間を結ぶ線分より対向辺側に食い込まないように形成される。
【００１９】
これらアーム体１、１間、およびアーム体１と錠連結アーム４とは、連結ピン２により水平回転自在に連結される。連結は、図３（ｂ）に示すように、隣接するアーム体１、あるいは錠連結アーム４が交互に上下に重ね合わされて２段重ねになるように行われ、アーム体１は、連結状態において肉盗み部６が同一辺縁に位置するように配置される。また、ピン装着孔１０は、上段側に位置するアーム体１等では、貫通孔状に、下段側では有底のねじ孔として形成される。
【００２０】
連結ピン２は、下端に雄ねじ２ａを形成した段付きピンであり、上段側のピン装着孔１０から挿入し、下段側のピン装着孔１０のねじ孔に雄ねじ２ａをねじ込んで装着される。ねじ込み操作を可能にするために、図３（ｂ）において鎖線で示すように、連結ピン２にはねじ切り頭部２ｂが設けられる。ねじ切り頭部２ｂの基端部には小断面の破断ガイド部２ｃが設定されており、ねじ切り頭部２ｂを操作部として連結ピン２をねじ込んだ後、さらに連結ピン２にトルクを与えると、ねじ切り頭部２ｂは破断ガイド部２ｃから破断し、以後、連結ピン２への回転トルク付与が不能になる。また、上記上段側のピン装着孔１０にはキャップ部材１１が装着され、連結ピン２の破断ガイド部２ｃを覆い隠す。
【００２１】
図１（ａ）に示すように、施錠用拘束体の閉ループ形状を保持するために使用される錠装置５は、十分な破壊強度を有するケーシング５ａ内にシリンダ錠１２を収容して形成される。ケーシング５ａには、上記錠連結アーム４の挿入杆部８ｂが挿入可能な挿入孔５ｂが開設されるとともに、ケーシング５ａ内には、挿入孔５ｂに向けて進退するロック片１３が回転自在に配置される。
【００２２】
ロック片１３は、枢軸１３ａ周りに揺動自在な半円断面形状の柱体であり、揺動動作に伴って一端側（係止端１３ｂ）が挿入孔５ｂに向けて進退する。また、ロック片１３の係止端１３ｂに対する反対端には、ストッパ突起１３ｃが突設される。このロック片１３はトーションスプリング１４により係止端１３ｂが挿入孔５ｂ内に進入する方向に付勢されており、挿入孔５ｂに錠連結アーム４の挿入杆部８ｂを挿入すると、係止端１３ｂが挿入杆部８ｂの先端に押されてロック片１３はトーションスプリング１４の付勢力に抗して一旦揺動した後、凹溝４ａに正対した位置で再び原位置側に復帰して係止部４ｂに係止する。
【００２３】
一方、シリンダ錠１２は、真正な解錠キー１５を挿入した場合にのみ回転操作が可能なプラグ１２ａを備え、プラグ１２ａの終端にはストッパ作動部材１２ｂが連結される。ストッパ作動部材１２ｂは、図１（ａ）に示すプラグ１２ａの施錠回転位置において、上記ロック片１３のストッパ突起１３ｃに干渉し、ロック片１３の係止部４ｂとの係止解除位置側への揺動を規制する。これに対し、プラグ１２ａをいずれか一方の解錠方向に回転させると、ストッパ作動部材１２ｂが回転方向に対応する上記ストッパ突起１３ｃを干渉位置から係止解除位置へと移動させ、係止端１３ｂの係止解除が可能になる。
【００２４】
したがってこの実施の形態において、シリンダ錠１２を施錠状態に保持したまま錠装置５の挿入孔５ｂに挿入杆部８ｂを挿入すると、ロック片１３が係止部４ｂに弾発係止し、錠装置５に抜去不能に連結される。このようにして両端の挿入杆部８ｂを錠装置５に連結した状態で施錠用拘束体は閉ループを形成し、図１（ｂ）に示すように、拘束対象（Ａ）を巻回することができる。
【００２５】
以上のように、閉ループを解除不能に形成するための施錠手順には解錠キー１５の使用が不要であり、この状態から解錠キー１５を使用してプラグ１２ａを解錠回転位置に回転操作すると、挿入杆部８ｂを抜去して拘束対象への拘束を解除することができる。また、施錠用拘束体は、不使用の場合には、図４に示すように、互い違いに折り畳んで保管することができる。
【図面の簡単な説明】
【００２６】
【図１】本発明を示す図で、（ａ）は錠装置の断面図、（ｂ）は拘束対象を巻回した状態を示す図である。
【図２】施錠用拘束体の平面図である。
【図３】図２の断面図で、（ａ）は図２の３Ａ-３Ａ線断面図、（ｂ）は図３（ａ）の３Ｂ部拡大図である。
【図４】施錠用拘束体を折りたたんだ状態を示す図で、（ａ）は平面図、（ｂ）は正面図である。
【図５】本発明の原理を示す図で、（ａ）は肉盗み部の作用を示す説明図、（ｂ）は錠連結アームの長さによる全長変化を示す説明図である。
【符号の説明】
【００２７】
１        アーム体
２        連結ピン
３        一般部
４        錠連結アーム
５        錠装置
６        肉盗み部
【図１】
2006138098.tif 000003
【図２】
2006138098.tif 000004
【図３】
2006138098.tif 000005
【図４】
2006138098.tif 000006
【図５】
2006138098.tif 000007